(57)【特許請求の範囲】
【請求項１】
医用画像を表示し、操作者による接触操作を受け付けるタッチパネルと、
前記医用画像が表示されている表示領域のうち、操作用のグラフィックが表示されていない領域に対する接触操作に応じて、操作用のグラフィックを表示させる制御部と、
を備えた画像診断装置。
【請求項２】
前記制御部は、前記タッチパネルの表示領域全体に前記医用画像を表示している場合、前記領域に対する接触操作に応じて、操作用のグラフィックを表示させる、
請求項１に記載の画像診断装置。
【請求項３】
前記制御部は、前記タッチパネルにおける操作用のグラフィックが表示されていない領域の一部に操作用のグラフィックを対応付け、操作用のグラフィックが対応付けられた領域に対する接触操作に応じて、前記タッチパネルに操作用のグラフィックを表示させる、請求項１又は２に記載の画像診断装置。
【請求項４】
前記制御部は、操作用のグラフィックが対応付けられた領域とは別の領域に、別の操作用のグラフィックを対応付け、前記別の領域に対する接触操作に応じて、前記タッチパネルに前記別の操作用のグラフィックを表示させる、請求項１乃至３のうちいずれか１つに記載の画像診断装置。
【請求項５】
前記制御部は、表示モード、撮像モード、撮像対象部位のうちの少なくとも１つの指定に応じて、接触操作に応じて表示させる操作用のグラフィックを変更する、請求項１乃至４のうちいずれか１つに記載の画像診断装置。
【請求項６】
医用画像を表示し、操作者による接触操作を受け付けるタッチパネルと、
前記医用画像が表示されている表示領域であって、接触操作に応じて実行される機能が対応付けられていない第１領域と、接触操作に応じて実行される機能が対応付けられており、操作用のグラフィックが表示されていない第２領域と、を含む表示領域の、前記第２領域に対する接触操作に応じて、前記第２領域に対応付けられた機能を実行させる制御部と、
を備えた画像診断装置。
【請求項７】
前記第２領域に対応付けられている、接触操作に応じて実行される機能は、撮像モードおよび表示モードうち少なくとも一方の変更に応じて変更される、請求項６に記載の画像診断装置。
【請求項８】
前記第２領域に対応付けられている、接触操作に応じて実行される機能は、第１の撮像モードにおいて実行され、第２の撮像モードにおいては実行されない、請求項６に記載の画像診断装置。
【請求項９】
前記第２領域に対応付けられている、接触操作に応じて実行される機能は、第１の表示モードにおいて実行され、第２の表示モードにおいては実行されない、請求項６に記載の画像診断装置。
【請求項１０】
前記第２領域は複数あり、それぞれに異なる機能が対応付けられている、請求項６に記載の画像診断装置。
【請求項１１】
前記第２領域に対応付けられている、接触操作に応じて実行される機能は、操作用のグラフィックの表示機能を含む、請求項６乃至１０のうちいずれか１つに記載の画像診断装置。
【請求項１２】
前記第２領域に対応付けられている、接触操作に応じて実行される機能は、メニューの表示機能を含む、請求項１１に記載の画像診断装置。
【請求項１３】
前記第２領域に対応付けられている、接触操作に応じて実行される機能は、画質パラメータに関する機能を含む、請求項６乃至１２のうちいずれか１つに記載の画像診断装置。
【請求項１４】
医用画像を表示し、操作者による接触操作を受け付けるタッチパネルと、
前記医用画像が表示されている表示領域であって、接触操作に応じて実行される機能が対応付けられており、操作用のグラフィックが表示されていない領域に対して、第１のモード中において接触操作が行われた場合、前記機能を実行させ、第２のモード中において前記領域に対する接触操作が行われた場合、前記機能を実行させない制御部と、
を備えた画像診断装置。
【請求項１５】
前記機能は、メニュー表示機能を含む、請求項１４に記載の画像診断装置。
【請求項１６】
超音波プローブから得られた信号に基づいて、前記医用画像を生成する画像処理部を備えた、請求項１乃至１５のうちいずれか１つに記載の画像診断装置。
【請求項１７】
医用画像を表示し、操作者による接触操作を受け付けるタッチパネルと、
前記医用画像が表示されている表示領域のうち、操作用のグラフィックが表示されていない領域に対する接触操作に応じて、操作用のグラフィックを表示させる制御部と、
を備えた医用画像表示装置。
【請求項１８】
前記制御部は、前記タッチパネルの表示領域全体に前記医用画像を表示している場合、前記領域に対する接触操作に応じて、操作用のグラフィックを表示させる、
請求項１７に記載の医用画像表示装置。
【請求項１９】
医用画像を表示し、操作者による接触操作を受け付けるタッチパネルと、
前記医用画像が表示されている表示領域であって、接触操作に応じて実行される機能が対応付けられていない第１領域と、接触操作に応じて実行される機能が対応付けられており、操作用のグラフィックが表示されていない第２領域と、を含む表示領域の、前記第２領域に対する接触操作に応じて、前記第２領域に対応付けられた機能を実行させる制御部と、
を備えた医用画像表示装置。
【請求項２０】
医用画像を表示し、操作者による接触操作を受け付けるタッチパネルと、
前記医用画像が表示されている表示領域であって、接触操作に応じて実行される機能が対応付けられており、操作用のグラフィックが表示されていない領域に対して、第１のモード中において接触操作が行われた場合、前記機能を実行させ、第２のモード中において前記領域に対する接触操作が行われた場合、前記機能を実行させない制御部と、
を備えた医用画像表示装置。
【発明の詳細な説明】
【技術分野】
【０００１】
本発明の実施形態は、画像診断装置、超音波診断装置及び医用画像表示装置に関する。
【背景技術】
【０００２】
超音波診断装置は、超音波プローブにより被検体を走査することで得られる反射波信号から超音波画像を生成する装置である。かかる超音波診断装置の中には、超音波画像を表示するとともに、操作者から各種操作を受け付けるタッチパネルを備えたものもある。従来、このタッチパネルを備えた超音波診断装置において、タッチパネルのモニタ上にスイッチやアイコン、タブなどのグラフィックを表示させ、そのグラフィックに対する操作を受け付けることで、超音波画像に関する各種メニューを表示させる技術が知られている。
【先行技術文献】
【特許文献】
【０００３】
【特許文献１】特開２００９−１３１４１９号公報
【発明の概要】
【発明が解決しようとする課題】
【０００４】
しかしながら、上述した従来技術では、モニタ上にスイッチやアイコン、タブなどのグラフィックを常に表示させた場合に、これらのグラフィックによって超音波画像の表示領域が狭くなってしまう。このことから、従来技術では、超音波画像などの医用画像を観察する際に表示領域を有効に活用することができない場合があった。
【課題を解決するための手段】
【０００５】
実施形態に係る画像診断装置は、タッチパネルと、制御部とを備える。タッチパネルは、医用画像を表示し、操作者による接触操作を受け付ける。制御部は、前記医用画像が表示されている表示領域のうち、操作用のグラフィックが表示されていない領域に対する接触操作に応じて、操作用のグラフィックを表示させる。
【図面の簡単な説明】
【０００６】
【図１】図１は、第１の実施形態に係る超音波診断装置の構成を示すブロック図である。
【図２】図２は、第１の実施形態に係る超音波診断装置の詳細な構成を示す機能ブロック図である。
【図３】図３は、第１の実施形態に係る設定情報記憶部により記憶される設定情報の一例を示す図である。
【図４】図４は、第１の実施形態に係る表示制御部によるメニュー表示を説明するための図（１）である。
【図５】図５は、第１の実施形態に係る表示制御部によるメニュー表示を説明するための図（２）である。
【図６】図６は、第１の実施形態に係る表示制御部によるメニュー表示を説明するための図（３）である。
【図７】図７は、第１の実施形態に係る表示制御部によるメニュー表示を説明するための図（４）である。
【図８】図８は、第１の実施形態に係る表示制御部によるメニュー表示を説明するための図（５）である。
【図９】図９は、第１の実施形態に係る表示制御部によるメニュー表示を説明するための図（６）である。
【図１０】図１０は、第１の実施形態に係る表示制御部によるメニュー表示を説明するための図（７）である。
【図１１】図１１は、第１の実施形態に係る設定情報変更部によるメニュー割付状況の表示の一例を示す図である。
【図１２】図１２は、第１の実施形態に係る超音波診断装置におけるメニュー表示の処理手順を示すフローチャートである。
【図１３】図１３は、第２の実施形態に係る医用画像表示装置を含む医用画像管理システムを示す図である。
【図１４】図１４は、第２の実施形態に係る医用画像表示装置の構成を示すブロック図である。
【発明を実施するための形態】
【０００７】
以下に、図面を参照しながら、実施形態に係る画像診断装置、超音波診断装置及び医用画像表示装置について詳細に説明する。
【０００８】
実施形態に係る画像診断装置、超音波診断装置及び医用画像表示装置は、表示部と、入力部と、表示制御部とを備える。表示部は、医用画像を表示する表示領域を有する。入力部は、前記表示領域上の位置の入力を受け付ける。表示制御部は、前記入力部により前記入力が受け付けられた前記表示領域上の位置に応じて、異なるメニューを前記表示領域上に表示させる。
【０００９】
（第１の実施形態）
まず、第１の実施形態として、超音波診断装置に関する実施形態について説明する。図１は、第１の実施形態に係る超音波診断装置の構成を示すブロック図である。図１に示すように、第１の実施形態に係る超音波診断装置は、超音波プローブ１、タッチパネル２、操作部３、及び装置本体１０を有する。
【００１０】
超音波プローブ１は、複数の圧電振動子を有する。各圧電振動子は、後述する装置本体１０が有する送信部１１から供給される駆動信号に基づいて超音波を発生し、さらに、被検体Ｐからの反射波を受信して電気信号に変換する。また、超音波プローブ１は、圧電振動子に設けられる整合層と、圧電振動子から後方への超音波の伝播を防止するバッキング材などを有する。
【００１１】
かかる超音波プローブ１によって被検体Ｐに超音波が送信されると、送信された超音波は、被検体Ｐの体内組織における音響インピーダンスの不連続面で次々と反射され、超音波プローブ１が有する複数の圧電振動子によって反射波信号として受信される。この反射波信号の振幅は、超音波が反射される不連続面における音響インピーダンスの差に依存する。なお、送信された超音波パルスが移動している血流や心臓壁などの表面で反射された場合の反射波信号は、ドプラ効果により、移動体の超音波送信方向に対する速度成分に依存して周波数偏移を受ける。
【００１２】
タッチパネル２は、装置本体１０により生成された超音波画像を表示するとともに、超音波診断装置の操作者から各種操作を受け付ける。なお、このタッチパネル２については、後に詳細に説明する。
【００１３】
操作部３は、マウス、キーボード、ボタン、パネルスイッチ、トラックボールなどの入力デバイスを有しており、入力デバイスを介して操作者から各種設定要求を受け付ける。そして、操作部３は、受け付けた各種設定要求を装置本体１０に転送する。
【００１４】
装置本体１０は、超音波プローブ１によって受信された反射波信号に基づいて超音波画像を生成する。この装置本体１０は、送信部１１、受信部１２、Ｂモード処理部１３、ドプラ処理部１４、画像処理部１５、画像メモリ１６、制御部１７、及び内部記憶部１８を有する。
【００１５】
送信部１１は、トリガ発生回路、遅延回路及びパルサ回路などを有し、超音波プローブ１に駆動信号を供給する。パルサ回路は、所定のレート周波数で、送信超音波を形成するためのレートパルスを繰り返し発生する。また、遅延回路は、超音波プローブ１から発生される超音波をビーム状に集束して送信指向性を決定するために用いられる圧電振動子ごとの遅延時間を、パルサ回路が発生する各レートパルスに対し与える。また、トリガ発生回路は、レートパルスに基づくタイミングで、超音波プローブ１に駆動信号を供給する。
【００１６】
受信部１２は、アンプ回路、Ａ／Ｄ変換器、加算器などを有し、超音波プローブ１が受信した反射波信号に対して各種処理を行なって反射波データを生成する。アンプ回路は、反射波信号を増幅してゲイン補正処理を行ない、Ａ／Ｄ変換器は、ゲイン補正された反射波信号をＡ／Ｄ変換して受信指向性を決定するのに必要な遅延時間を与え、加算器は、Ａ／Ｄ変換器によって処理された反射波信号の加算処理を行なって反射波データを生成する。加算器の加算処理により、反射波信号の受信指向性に応じた方向からの反射成分が強調される。
【００１７】
このように、送信部１１及び受信部１２は、超音波の送受信における送信指向性と受信指向性とを制御する。
【００１８】
Ｂモード処理部１３は、受信部１２から反射波データを受け取り、対数増幅、包絡線検波処理などを行なって、信号強度が輝度の明るさで表現されるデータ（Ｂモードデータ）を生成する。
【００１９】
ドプラ処理部１４は、受信部１２から受け取った反射波データから速度情報を周波数解析し、ドプラ効果による血流や組織、造影剤エコー成分を抽出し、平均速度、分散、パワーなどの移動体情報を多点について抽出したデータ（ドプラデータ）を生成する。
【００２０】
画像処理部１５は、Ｂモード処理部１３が生成したＢモードデータや、ドプラ処理部１４が生成したドプラデータから、超音波画像を生成する。例えば、画像処理部１５は、ＢモードデータからＢモード画像を生成し、ドプラデータからドプラ画像を生成する。
【００２１】
画像メモリ１６は、画像処理部１５によって生成された超音波画像を記憶する。
【００２２】
制御部１７は、超音波診断装置における処理全体を制御する。例えば、制御部１７は、操作部３を介して操作者から入力された各種設定要求や、内部記憶部１８から読込んだ各種制御プログラム及び各種設定情報に基づいて、送信部１１、受信部１２、Ｂモード処理部１３、ドプラ処理部１４、及び画像処理部１５を制御する。また、制御部１７は、画像メモリ１６によって記憶された超音波画像をタッチパネル２に表示させる。なお、この制御部については、後に詳細に説明する。
【００２３】
内部記憶部１８は、超音波送受信や画像処理、表示処理などの各種処理を行なうための制御プログラムや、診断情報（例えば、患者ＩＤや医師の所見など）、診断プロトコル、各種設定情報などの各種データを記憶する。また、内部記憶部１８は、必要に応じて、画像メモリ１６が記憶する画像の保管などにも使用される。なお、内部記憶部１８が記憶するデータは、図示しないインターフェース回路を経由して、外部の周辺装置へ転送することができる。なお、この内部記憶部１８については、後に詳細に説明する。
【００２４】
以上、第１の実施形態に係る超音波診断装置の構成について説明した。このような構成のもと、第１の実施形態に係る超音波診断装置では、タッチパネル２が、超音波画像を表示する表示領域を有し、その表示領域上の位置を入力する位置入力操作を受け付ける。そして、制御部１７が、位置入力操作が受け付けられた場合に、超音波画像に関するメニューをタッチパネル２の表示領域上に表示させる。
【００２５】
すなわち、第１の実施形態に係る超音波診断装置は、超音波画像の観察時にタッチパネル２の表示領域全体に超音波画像を表示させ、操作者が必要とする場合のみ、必要なメニューを表示領域上に表示させることができる。したがって、第１の実施形態によれば、超音波画像を観察する際にモニタの表示領域を有効に活用することができるようになる。
【００２６】
次に、第１の実施形態に係る超音波診断装置の詳細な構成について説明する。図２は、第１の実施形態に係る超音波診断装置の詳細な構成を示す機能ブロック図である。図２は、図１に示したタッチパネル２、制御部１７、及び内部記憶部１８を示している。ここでは、図２を参照して、タッチパネル２、制御部１７、及び内部記憶部１８について詳細に説明する。
【００２７】
タッチパネル２は、表示部２ａ及び入力部２ｂを有する。
【００２８】
表示部２ａは、超音波画像を表示する表示領域を有する。例えば、表示部２ａは、後述する表示制御部１７ａによる制御のもと、超音波画像や、超音波画像に関する各種メニューなどを表示する。この表示部２ａは、例えば、液晶モニタなどである。
【００２９】
入力部２ｂは、表示部２ａが有する表示領域上の位置を入力する位置入力操作を受け付ける。例えば、入力部２ｂは、位置入力操作として、表示部２ａが有する表示領域上の任意の位置をタッチする操作を操作者から受け付ける。また、入力部２ｂは、操作者によって表示領域上の位置がタッチされると、タッチされた位置を示す画面位置情報を後述する表示制御部１７ａに送信する。
【００３０】
内部記憶部１８は、設定情報記憶部１８ａを有する。この内部記憶部１８は、例えば、ハードディスクドライブや不揮発性の半導体メモリなどである。
【００３１】
設定情報記憶部１８ａは、領域情報とメニュー情報とを対応付けた設定情報を記憶する。図３は、第１の実施形態に係る設定情報記憶部１８ａにより記憶される設定情報の一例を示す図である。図３に示すように、例えば、設定情報記憶部１８ａは、プリセット情報と、領域情報と、メニュー情報とを対応付けた情報を設定情報として記憶する。
【００３２】
プリセット情報は、診断の対象となる部位を示す情報である。例えば、プリセット情報には、「腹部」や「腎臓」、「甲状腺」などが設定される。第１の実施形態に係る超音波診断装置を用いて超音波画像が撮像される際には、操作者によって、プリセット情報に設定されている部位の中から診断対象の部位が選択される。
【００３３】
領域情報は、表示部２ａが有する表示領域上に配置された領域を示す情報である。例えば、領域情報は、「領域」、「位置」及び「大きさ」の３つの項目を含む。領域には、表示領域上に配置された各領域を同じプリセット情報の中で一意に識別する番号が設定される。位置には、表示領域上に配置される領域の位置を示す領域位置情報が設定される。大きさには、表示領域上に配置される各領域の大きさを示す領域大きさ情報が設定される。
【００３４】
メニュー情報は、超音波画像に関するメニューの種類を示す情報である。第１の実施形態では、メニュー情報は、表示モード及び撮像モードごとに設定される。例えば、メニュー情報として、ライブ表示用のメニューに関する情報と、フリーズ表示用のメニューに関する情報とが設定される。ここで、ライブ表示用のメニューは、超音波画像がライブ表示されている間に用いられるメニューである。また、フリーズ表示用のメニューは、超音波画像がフリーズ表示されている間に用いられるメニューである。さらに、各表示モードのメニュー情報は、撮像モードごとに設定される。例えば、各表示モードのメニュー情報として、２Ｄ撮像（２次元画像の撮像）に関する情報と、カラー撮像に関する情報と、ドプラ撮像に関する情報とが設定される。
【００３５】
そして、表示モード及び撮像モードごとのメニュー情報には、各種メニューの種類を示す情報が設定される。例えば、各メニュー情報には、「患者情報」や「画質パラメータ」、「プリセット」、「プローブ選択」、「画像閲覧」、「計測１」、「アノテーション」、「計測２」、「ボディマーク」などが設定される。なお、これらのメニュー情報に対応するメニューについては、後に詳細に説明する。
【００３６】
このように、設定情報記憶部１８ａが、領域情報とメニュー情報とを対応付けた設定情報を記憶することによって、表示部２ａの表示領域上に１つ又は複数の領域が設定される。また、設定情報記憶部１８ａが、表示領域上に設定された領域ごとに、表示モード及び撮像モードに応じたメニューを記憶することによって、各領域が指定された際に表示されるメニューが定義される。
【００３７】
図２の説明にもどって、制御部１７は、表示制御部１７ａ、メニュー処理制御部１７ｂ、設定情報変更部１７ｃ、送受信制御部１７ｄ、及び計測部１７ｅを有する。
【００３８】
表示制御部１７ａは、超音波画像や、超音波画像に関する各種メニューなどを表示部２ａに表示させる。例えば、表示制御部１７ａは、装置本体１０によって生成された超音波画像を表示部２ａにライブ表示させる。また、例えば、表示制御部１７ａは、操作者によってフリーズ表示を行うよう指示された場合には、装置本体１０によって生成された超音波画像を表示部２ａにフリーズ表示（静止表示）させる。
【００３９】
このとき、例えば、表示制御部１７ａは、入力部２ｂにより受け付けられた入力に応じて、超音波の送受信の停止又は開始を受け付けるための送受信メニューを表示領域２０上に表示させてもよい。この場合には、操作者によって超音波の送受信を停止するよう指示された場合には、装置本体１０によって最後に生成された超音波画像が表示部２ａにフリーズ表示される。また、操作者によって超音波の送受信を開始するよう指示された場合には、装置本体１０によって生成された超音波画像がライブ表示される。
【００４０】
また、例えば、表示制御部１７ａは、入力部２ｂによって位置入力操作が受け付けられた場合に、超音波画像に関するメニューを表示部２ａが有する表示領域上に表示させる。なお、表示制御部１７ａは、入力部２ｂにより受け付けられた入力に応じて、異なるメニューを表示領域上に表示させる。具体的には、表示制御部１７ａは、設定情報記憶部１８ａにより記憶された設定情報に基づいて、位置入力操作により入力された位置を含む領域に対応付けられたメニューを表示部２ａの表示領域上に表示させる。
【００４１】
具体的には、表示制御部１７ａは、超音波画像の撮像が行われる際に操作者がプリセット情報の中から選択した診断対象の部位に応じて、各種メニューを表示させる。また、表示制御部１７ａは、超音波画像がライブ表示されているかフリーズ表示されているかに応じて、ライブ表示用のメニュー又はフリーズ表示用のメニューのいずれを表示させるかを判定する。さらに、表示制御部１７ａは、撮像モードに応じてメニューを表示させる。
【００４２】
図４〜１０は、第１の実施形態に係る表示制御部１７ａによるメニュー表示を説明するための図である。ここで、設定情報記憶部１８ａには、図３に示した設定情報が記憶されていたとする。また、診断対象の部位として腹部が選択され、表示モードとしてライブ表示が選択され、撮像モードとして２Ｄ撮像が選択されていたとする。この場合には、図４に示すように、表示部２ａの表示領域２０上に５つの領域２１〜２５が配置されることになる。
【００４３】
図４において、領域２１は、図３に示した設定情報において、プリセット情報が「腹部」であり、領域情報の領域が「１」であるデータに対応する。また、領域２２は、プリセット情報が「腹部」であり、領域情報の領域が「２」であるデータに対応する。また、領域２３は、プリセット情報が「腹部」であり、領域情報の領域が「３」であるデータに対応する。また、領域２４は、プリセット情報が「腹部」であり、領域情報の領域が「４」であるデータに対応する。また、領域２５は、プリセット情報が「腹部」であり、領域情報の領域が「５」であるデータに対応する。なお、図４では、説明の都合上、領域２１〜２５を点線で示しているが、実際には、表示領域２０に点線は表示されない。
【００４４】
表示制御部１７ａは、表示領域２０上の位置をタッチする操作が入力部２ｂによって受け付けられると、タッチされた位置を示す画面位置情報を入力部２ｂから受信する。そして、表示制御部１７ａは、設定情報記憶部１８ａにより記憶された設定情報に含まれる領域ごとの領域位置情報及び領域大きさ情報に基づいて、受信した画面位置情報により示される位置を含む領域を特定し、特定した領域に対応するメニューを表示領域２０上に表示させる。
【００４５】
例えば、領域２１をタッチする操作が入力部２ｂによって受け付けられたとする。ここで、図３に示した設定情報において、領域２１に対応するデータには、ライブ表示用の２Ｄ撮像のメニュー情報に「患者情報」が設定されている。したがって、この場合には、表示制御部１７ａは、図５に示すように、表示領域２０上に患者情報メニュー３１を表示させる。患者情報メニュー３１は、患者を一意に識別する患者ＩＤや、年齢、性別、患者氏名など、診断対象の患者に関する情報を操作者が入力するためのメニューである。
【００４６】
また、例えば、領域２２をタッチする操作が入力部２ｂによって受け付けられたとする。ここで、図３に示した設定情報において、領域２２に対応するデータには、ライブ表示用の２Ｄ撮像のメニュー情報に「画質パラメータ」が設定されている。したがって、この場合には、表示制御部１７ａは、図６に示すように、表示領域２０上に画質パラメータメニュー３２を表示させる。画質パラメータメニュー３２は、超音波プローブ１によって発生する超音波の周波数や、超音波のフォーカス、超音波画像の輝度など、超音波画像の画質に関する情報を操作者が入力するためのメニューである。
【００４７】
また、例えば、領域２３をタッチする操作が入力部２ｂによって受け付けられたとする。ここで、図３に示した設定情報において、領域２３に対応するデータには、ライブ表示用の２Ｄ撮像のメニュー情報に「プリセット」が設定されている。したがって、この場合には、表示制御部１７ａは、図７に示すように、表示領域２０上にプリセットメニュー３３を表示させる。プリセットメニュー３３は、操作者が診断対象の部位を選択するためのメニューである。
【００４８】
また、例えば、領域２４をタッチする操作が入力部２ｂによって受け付けられたとする。ここで、図３に示した設定情報において、領域２４に対応するデータには、ライブ表示用の２Ｄ撮像のメニュー情報に「プローブ選択」が設定されている。したがって、この場合には、表示制御部１７ａは、図８に示すように、表示領域２０上にプローブ選択メニュー３４を表示させる。プローブ選択メニュー３４は、操作者が複数種類の超音波プローブの中から超音波画像の撮像に用いられる超音波プローブ１を選択するためのメニューである。
【００４９】
また、例えば、領域２５をタッチする操作が入力部２ｂによって受け付けられたとする。ここで、図３に示した設定情報において、領域２５に対応するデータには、ライブ表示用の２Ｄ撮像のメニュー情報に「画像閲覧」が設定されている。したがって、この場合には、表示制御部１７ａは、図９に示すように、表示領域２０上に画像閲覧メニュー３５を表示させる。画像閲覧メニュー３５は、操作者が過去に撮像された同一被検体の超音波画像の中から表示領域に表示させる画像を選択するためのメニューである。例えば、画像閲覧メニュー３５上には、過去に撮像された複数の超音波画像がサムネイル表示され、表示された複数の超音波画像の中からいずれかの画像が操作者によって選択される。
【００５０】
なお、例えば、表示モードとしてフリーズ表示が選択されていた場合には、表示制御部１７ａは、設定情報記憶部１８ａにより記憶された設定情報において、フリーズ表示用の２Ｄメニュー情報に設定されている情報に基づいて、表示領域２０上にメニューを表示させる。具体的な例としては、表示制御部１７ａは、入力部２ｂにより受け付けられた入力に応じて、所定の計測項目の選択を受け付けるための計測メニューを表示領域２０上に表示させる。
【００５１】
例えば、領域２１をタッチする操作が入力部２ｂによって受け付けられたとする。ここで、図３に示した設定情報において、領域２１に対応するデータには、フリーズ表示用の２Ｄ撮像のメニュー情報に「計測１」が設定されている。したがって、この場合には、表示制御部１７ａは、図１０に示すように、例えば、超音波画像中の任意の距離を計測するための計測メニュー４１を表示領域２０上に表示させる。
【００５２】
また、例えば、領域２２をタッチする操作が入力部２ｂによって受け付けられたとする。ここで、図３に示した設定情報において、領域２２に対応するデータには、フリーズ表示用の２Ｄ撮像のメニュー情報に「アノテーション」が設定されている。したがって、この場合には、表示制御部１７ａは、図１０に示すように、撮像された部位に発生していた腫瘍の種類など、診断に関する各種の情報を超音波画像に付帯情報として付与するためのアノテーションメニュー４２を表示領域２０上に表示させる。
【００５３】
また、例えば、領域２３をタッチする操作が入力部２ｂによって受け付けられたとする。ここで、図３に示した設定情報において、領域２３に対応するデータには、フリーズ表示用の２Ｄ撮像のメニュー情報に「計測２」が設定されている。したがって、この場合には、表示制御部１７ａは、図１０に示すように、例えば、超音波画像に含まれる任意の領域の大きさを計測するための計測メニュー４３を表示領域２０上に表示させる。
【００５４】
また、例えば、領域２４をタッチする操作が入力部２ｂによって受け付けられたとする。ここで、図３に示した設定情報において、領域２４に対応するデータには、フリーズ表示用の２Ｄ撮像のメニュー情報に「ボディマーク」が設定されている。したがって、この場合には、表示制御部１７ａは、図１０に示すように、被検体に対して超音波プローブ１を当てた位置や向きを示すボディマークを超音波画像に付帯情報として付与するためのボディマークメニュー４４を表示領域２０上に表示させる。
【００５５】
このように、表示制御部１７ａが、表示領域上に表示されるメニューを表示モードに応じて変えることによって、例えば、操作者によって使用されるメニューが超音波画像の表示モードごとに異なるような場合に、表示モードごとに適切なメニューを表示させることができるようになる。
【００５６】
なお、表示制御部１７ａは、例えば、超音波画像を観察しながら操作されると想定されるメニューについては、図６〜１０に示したように、表示領域２０に表示された超音波画像の観察を妨げないように表示させる。すなわち、表示制御部１７ａは、超音波画像を観察しながら操作されると想定されるメニューについては、表示領域２０に表示された超音波画像の中でメニューによって隠れる範囲が小さくなるように表示させる。
【００５７】
また、表示制御部１７ａは、例えば、操作者による位置指定操作に応じてメニューを表示した後に、所定の時間が経過した時点で、表示したメニューを表示領域上から消去するよう制御してもよい。この場合には、さらに、表示制御部１７ａは、操作者からメニューの固定表示を要求する操作を受け付けたときに、所定の時間が経過してもメニューを消去しないよう制御してもよい。これにより、メニュー表示に関する操作性を向上させることができる。
【００５８】
図２の説明にもどって、メニュー処理制御部１７ｂは、表示制御部１７ａによる制御のもと、各種メニューに応じた処理を行うよう装置本体１０の各部を制御する。例えば、メニュー処理制御部１７ｂは、表示領域２０上に表示された送受信メニューに対する入力に基づいて、後述する送受信制御部１７ｄを制御する。また、例えば、メニュー処理制御部１７ｂは、表示領域２０上に表示された計測メニュー４１又は４３に対する入力に基づいて、後述する計測部１７ｅを制御する。
【００５９】
送受信制御部１７ｄは、超音波の送受信を制御する。この送受信制御部１７ｄは、メニュー処理制御部１７ｂによる制御のもと、送受信メニューに対する入力に基づいて、超音波の送受信を停止又は開始させるよう制御する。具体的には、送受信制御部１７ｄは、超音波の送受信を停止又は開始させるように、装置本体１０が有する送信部１１及び受信部１２を制御する。
【００６０】
計測部１７ｅは、超音波画像に対し所定の計測項目に関する計測を行う。この計測部１７ｄは、メニュー処理制御部１７ｂによる制御のもと、計測メニュー４１又は４３に対する入力に基づいて、選択された計測項目に関する計測を行う。例えば、計測メニュー４１に対する入力が行われた場合には、計測部１７ｄは、超音波画像中の任意の距離を計測する処理を行う。また、例えば、計測メニュー４３に対する入力が行われた場合には、計測部１７ｄは、超音波画像に含まれる任意の領域の大きさを計測する処理を行う。
【００６１】
なお、計測部１７ｅは、計測部１７ｅによって行われる計測はここで説明したものに限られない。例えば、計測部１７ｅは、ドプラ画像における血流の流速の計測や、収縮期における血流の流速と拡張期における血流の流速との比の計測、胎児を診断する際に背骨の長さや頭の大きさから求められる推定体重の計測などを行ってもよい。
【００６２】
設定情報変更部１７ｃは、設定情報記憶部１８ａにより記憶された設定情報における領域情報とメニュー情報との対応付けを変更する。また、設定情報変更部１７ｃは、設定情報に含まれる領域位置情報を変更したり、設定情報に含まれる領域大きさ情報を変更したりする。
【００６３】
例えば、設定情報変更部１７ｃは、操作者からの要求に応じて、表示領域上へのメニューの割付状況を示す情報を表示部２ａに表示させる。図１１は、第１の実施形態に係る設定情報変更部１７ｃによるメニュー割付状況の表示の一例を示す図である。図１１に示すように、例えば、設定情報変更部１７ｃは、設定情報記憶部１８ａにより記憶されている設定情報に含まれる領域情報に基づいて、表示領域２０上に配置されている各領域を点線で表示させる。さらに、設定情報変更部１７ｃは、各領域に対応付けられているライブ表示用のメニュー及びフリーズ表示用のメニューを示す情報を領域ごと表示させる。なお、設定情報変更部１７ｃは、プリセット情報に設定されている部位及び撮像モードごとに、図１１に示した表示を切り換える。
【００６４】
具体的には、設定情報変更部１７ｃは、表示部２ａに表示させた各領域について、領域とメニューとの対応付けを変更する操作を操作者から受け付ける。例えば、設定情報変更部１７ｃは、領域とメニューとの対応付けを変更する操作として、表示領域２０上に点線で示された領域内に表示されているメニューの情報を書き換える操作を受け付ける。そして、設定情報変更部１７ｃは、受け付けた操作に基づいて、設定情報記憶部１８ａにより記憶された設定情報における領域情報とメニュー情報との対応付けを領域ごとに変更する。
【００６５】
また、設定情報変更部１７ｃは、表示部２ａに表示させた各領域の位置を変更する操作を操作者から受け付ける。例えば、設定情報変更部１７ｃは、領域の位置を変更する操作として、表示領域２０上に点線で示された領域を移動する操作を受け付ける。そして、設定情報変更部１７ｃは、受け付けた操作に基づいて、設定情報記憶部１８ａにより記憶された領域情報に含まれる領域位置情報を変更する。
【００６６】
また、設定情報変更部１７ｃは、表示部２ａに表示させた各領域の大きさを変更する操作を操作者から受け付ける。例えば、設定情報変更部１７ｃは、領域の大きさを変更する操作として、表示領域２０上に点線で示された領域を拡大又は縮小する操作を受け付ける。そして、設定情報変更部１７ｃは、受け付けた操作に基づいて、設定情報記憶部１８ａにより記憶された領域情報に含まれる領域大きさ情報を変更する。
【００６７】
また、設定情報変更部１７ｃは、表示部２ａに表示させた領域の数を変更する操作を操作者から受け付ける。例えば、設定情報変更部１７ｃは、領域の数を変更する操作として、表示領域２０上に点線で示された領域を削除する操作、又は、表示領域２０上に点線で示される領域を追加する操作を受け付ける。そして、設定情報変更部１７ｃは、受け付けた操作に基づいて、設定情報記憶部１８ａにより記憶された領域情報について、削除された領域のデータを削除したり、追加された領域のデータを追加したりする。
【００６８】
なお、ここでは、図１１に示したように、表示領域２０上に領域及びメニューに関する情報を表示させる場合について説明した。これに対し、例えば、図３に示した設定情報の内容を表示領域２０上にリスト表示させるようにしてもよい。これにより、操作者がより多くの設定情報をまとめて修正できるようになる。
【００６９】
次に、第１の実施形態に係る超音波診断装置におけるメニュー表示の処理手順について説明する。図１２は、第１の実施形態に係る超音波診断装置におけるメニュー表示の処理手順を示すフローチャートである。
【００７０】
図１２に示すように、第１の実施形態に係る超音波診断装置では、操作者によって診断が開始されると（ステップＳ１０１，Ｙｅｓ）、装置本体１０が、超音波プローブ１によって受信された反射波信号に基づいて超音波画像を生成する（ステップＳ１０２）。
【００７１】
また、表示制御部１７ａが、装置本体１０によって生成された超音波画像を表示部２ａにライブ表示させる（ステップＳ１０３）。表示制御部１７ａは、操作者によってフリーズ表示を行うよう指示されない場合には（ステップＳ１０４，Ｎｏ）、超音波画像のライブ表示を続ける。
【００７２】
そして、表示制御部１７ａは、超音波画像のライブ表示を行っている間に、操作者によって表示領域がタッチされた場合には（ステップＳ１０５，Ｙｅｓ）、タッチされた位置に対応するライブ表示用のメニューを表示領域上に表示させる（ステップＳ１０６）。なお、操作者によって表示領域がタッチされない場合には（ステップＳ１０５，Ｎｏ）、表示制御部１７ａは、メニュー表示を行わずに、操作者によって診断が終了されるまで超音波画像の生成及びライブ表示を続ける（ステップＳ１１１，Ｎｏ）。
【００７３】
また、表示制御部１７ａは、超音波画像のライブ表示を行っている間に、操作者によってフリーズ表示を行うよう指示された場合には（ステップＳ１０４，Ｙｅｓ）、装置本体１０によって生成された超音波画像を表示部２ａにフリーズ表示させる（ステップＳ１０７）。
【００７４】
そして、表示制御部１７ａは、超音波画像のフリーズ表示を行っている間に、操作者によって表示領域がタッチされた場合には（ステップＳ１０８，Ｙｅｓ）、タッチされた位置に対応するフリーズ表示用のメニューを表示領域上に表示させる（ステップＳ１０９）。なお、操作者によって表示領域がタッチされない場合には（ステップＳ１０８，Ｎｏ）、表示制御部１７ａは、メニュー表示を行わずに、操作者によってフリーズ表示を終了するよう指示されるまで超音波画像のフリーズ表示を続ける（ステップＳ１１０，Ｎｏ）。
【００７５】
また、表示制御部１７ａは、操作者によってフリーズ表示を終了するよう指示された場合には（ステップＳ１１０，Ｙｅｓ）、超音波画像をライブ表示する表示モードにもどり、操作者によって診断が終了されるまで超音波画像の生成及びライブ表示を行う（ステップＳ１１１，Ｎｏ）。
【００７６】
そして、表示制御部１７ａは、超音波画像のライブ表示を行っている間に、操作者によって診断が終了された場合には（ステップＳ１１１，Ｙｅｓ）、超音波画像のライブ表示を終了する。
【００７７】
上述したように、第１の実施形態によれば、表示部２ａは、超音波画像を表示する表示領域を有する。また、入力部２ｂは、表示部２ａが有する表示領域上の位置を入力する位置入力操作を受け付ける。そして、表示制御部１７ａは、入力部２ｂにより位置入力操作が受け付けられた場合に、超音波画像に関するメニューを表示領域上に表示させる。したがって、第１の実施形態によれば、操作者が必要な場合のみメニューが表示されるので、超音波画像を観察する際にモニタの表示領域を有効に活用することができる。
【００７８】
また、第１の実施形態によれば、表示部２ａ及び入力部２ｂは、タッチパネルにより実現される。したがって、第１の実施形態によれば、タッチパネルの表示領域上に設定された領域に触れることで必要なメニューが表示されるので、操作者が直感的に操作を行うことができる。
【００７９】
また、第１の実施形態によれば、設定情報記憶部１８ａは、表示部２ａが有する表示領域上に配置された領域を示す領域情報とメニューの種類を示すメニュー情報とを対応付けた設定情報を記憶する。そして、表示制御部１７ａは、設定情報記憶部１８ａにより記憶された設定情報に基づいて、位置入力操作により入力された位置を含む領域に対応付けられたメニューを表示領域上に表示させる。したがって、第１の実施形態によれば、表示領域上に配置された領域ごとにあらかじめ設定されたメニューを表示させることができる。
【００８０】
また、第１の実施形態によれば、設定情報記憶部１８ａにより記憶されるメニュー情報は、超音波画像がライブ表示されている間に用いられるライブ表示用のメニューに関する情報と、超音波画像がフリーズ表示されている間に用いられるフリーズ表示用のメニューに関する情報とを含む。そして、表示制御部１７ａは、超音波画像がライブ表示されているかフリーズ表示されているかに応じて、ライブ表示用のメニュー又はフリーズ表示用のメニューのいずれを表示させるかを判定する。したがって、第１の実施形態によれば、操作者によって使用されるメニューが超音波画像の表示モードごとに異なるような場合に、表示モードに応じて適切なメニューを表示させることができる。
【００８１】
また、第１の実施形態によれば、設定情報変更部１７ｃは、設定情報記憶部１８ａにより記憶された設定情報における領域情報とメニュー情報との対応付けを変更する。したがって、第１の実施形態によれば、表示領域上に配置された各領域を指定した際に表示されるメニューを領域ごとに操作者が自由に変更することができる。
【００８２】
また、第１の実施形態によれば、設定情報記憶部１８ａにより記憶される領域情報は、表示領域上に配置される領域の位置を示す領域位置情報を含む。そして、領域情報に含まれる設定情報変更部１７ｃは、領域位置情報を変更する。したがって、第１の実施形態によれば、表示領域上に配置される領域の位置を操作者が自由に変更することができる。
【００８３】
また、第１の実施形態によれば、設定情報記憶部１８ａにより記憶される領域情報は、表示領域上に配置される領域の大きさを示す領域大きさ情報を含む。そして、設定情報変更部１７ｃは、領域情報に含まれる領域大きさ情報を変更する。したがって、第１の実施形態によれば、表示領域上に配置される領域の大きさを操作者が自由に変更することができる。
【００８４】
なお、第１の実施形態では、表示領域上に配置された各領域を表示させない場合について説明した。これに対し、例えば、表示制御部１７ａが、透過色や枠などで各領域を表示領域上に表示させるようにしてもよい。これにより、表示領域上で領域が配置されている範囲を操作者が容易に認識できるようになる。この場合には、例えば、透過色の色や濃度を示す情報など、領域の表示に必要な情報を図３に示した設定情報に表示用情報として追加しておく。そして、表示制御部１７ａが、設定情報に含まれる表示用情報を用いて、各領域を表示領域上に表示させる。また、設定情報変更部１７ｃが、操作者からの要求に応じて、表示用情報を変更するようにしてもよい。これにより、表示領域上に表示される領域の表示態様を操作者が自由に変更することができる。
【００８５】
また、第１の実施形態では、タッチパネル２の入力部２ｂが、位置入力操作として、表示部２ａが有する表示領域上の任意の位置をタッチする操作を操作者から受け付ける場合について説明した。これに対し、例えば、操作部３が、マウス、キーボード、ボタン、パネルスイッチ、トラックボールなどを介して、操作者から位置入力操作を受け付けてもよい。この場合、例えば、操作部３は、操作者が表示領域上でマウスをクリックする操作を受け付け、クリックされた位置を示す画面位置情報を表示制御部１７ａに送信する。これにより、例えば、タッチパネル２の入力部２ｂが故障して使用不可となったような場合でも、操作者が表示領域上にメニューを表示させることができる。
【００８６】
また、第１の実施形態では、操作者から位置指定操作を受け付けた場合にメニューを表示させる場合について説明した。例えば、表示制御部１７ａが、操作者からの要求に応じて、第１の実施形態で説明した表示モードと、メニューと超音波画像とを同時に表示する従来の表示モードとを切り替えるように制御してもよい。これにより、診断の種類や操作者の好みに応じてメニューの表示方法を適宜に変えることができる。
【００８７】
また、第１の実施形態では、例えば、患者情報メニュー３１や画質パラメータメニュー３２、プリセットメニュー３３、プローブ選択メニュー３４、画像閲覧メニュー３５など、超音波診断装置の操作者が超音波画像に関する操作を行うための一般的なメニューを表示する場合について説明した。これに対し、例えば、表示制御部１７ａが、第１の実施形態で説明した一般的なメニューを表示させる操作とは異なる操作を操作者から受け付けた場合に、超音波診断装置のメンテナンスを行うサービス員などが使用する特殊なメニューを表示領域上に表示させるようにしてもよい。ここでいう特殊なメニューとは、例えば、超音波診断装置を病院などに設置した際に初期設定を行うために用いられる初期設定用メニューや、サービス員がシステム設定を変更するための設定変更用メニューなどである。この場合には、例えば、表示制御部１７ａは、表示部２ａの表示領域上に配置された領域を操作者が所定の時間（例えば、５秒間）以上タッチした場合に、これらのメニューを表示領域上に表示させる。
【００８８】
また、第１の実施形態では、表示部２ａの表示領域上に複数の領域を配置し、各領域に対する操作を受け付けることで、各種メニューを表示させる場合について説明した。これに対し、例えば、表示機能のみを備えたモニタのフレームにセンサーを設けておき、フレーム上の任意の位置を操作者が触れたことをセンサーが検出した場合に、表示制御部１７ａが、触れられた位置に対応するメニューをモニタに表示させるようにしてもよい。この場合には、例えば、表示制御部１７ａは、モニタの上側に位置するフレームが触れられた場合には患者情報メニュー３１を表示領域上に表示させ、モニタの右側に位置するフレームが触れられた場合にはプローブ選択メニュー３４を表示領域上に表示させる。
【００８９】
また、第１の実施形態では超音波診断装置について説明したが、実施の形態はこれに限られない。例えば、Ｘ線診断装置やＸ線ＣＴ（Computed  Tomography）装置、ＭＲＩ（Magnetic  Resonance  Imaging）装置などの他の画像診断装置に対して、第１の実施形態で説明したメニュー表示に関する機能を実装することも可能である。
（第２の実施形態）
【００９０】
次に、第２の実施形態として、医用画像表示装置の実施形態について説明する。図１３は、第２の実施形態に係る医用画像表示装置５０を含む医用画像管理システムを示す図である。図１３に示すように、例えば、医用画像表示装置５０は、ネットワーク６０を介して、医用画像診断装置７０及び医用画像保管装置８０と通信可能に接続される。
【００９１】
医用画像診断装置７０は、被検体の医用画像を収集する。この医用画像診断装置７０は、例えば、超音波診断装置や磁気共鳴イメージング装置、Ｘ線ＣＴ（Computed  Tomography）装置などである。例えば、医用画像診断装置７０は、ＤＩＣＯＭ（Digital  Imaging  and  Communications  in  Medicine）に準拠した画像フォーマットで医用画像を生成する。
【００９２】
医用画像保管装置８０は、医用画像診断装置７０によって収集された医用画像を保管する。例えば、医用画像保管装置８０は、医用画像診断装置７０によって生成された医用画像をＤＩＣＯＭに準拠した画像フォーマットで保管する。
【００９３】
医用画像表示装置５０は、医用画像診断装置７０又は医用画像保管装置８０から取得し、取得した医用画像を表示する。この医用画像表示装置５０は、例えば、画像ビューアやワークステーションなどである。
【００９４】
図１４は、第２の実施形態に係る医用画像表示装置５０の構成を示すブロック図である。図１４に示すように、第２の実施形態に係る医用画像表示装置５０は、例えば、表示部５１、入力部５２、記憶部５３、及び制御部５４を有する。
【００９５】
表示部５１は、医用画像を表示する表示領域を有する。この表示部５１は、例えば、液晶モニタやＣＲＴ（Cathode  Ray  Tube）モニタなどである。例えば、表示部５１は、後述する表示制御部５４ａによる制御のもと、各種の医用画像や、医用画像に関する各種メニューなどを表示する。
【００９６】
入力部５２は、操作者から各種情報の入力を受け付ける。この入力部５２は、例えば、マウスやキーボードなどである。例えば、入力部５２は、表示部５１が有する表示領域上の位置を入力する位置入力操作を受け付ける。具体的な例としては、入力部５２は、位置入力操作として、表示部５１が有する表示領域上の任意の位置をマウスでクリックする操作を操作者から受け付ける。また、入力部５２は、操作者によって表示領域上の位置がクリックされると、クリックされた位置を示す画面位置情報を後述する表示制御部５４ａに送信する。
【００９７】
なお、例えば、表示部５１及び入力部５２は、タッチパネルにより設けられてもよい。
【００９８】
記憶部５３は、医用各種情報を記憶する。この記憶部５３は、例えば、ハードディスクドライブや半導体メモリなどである。例えば、記憶部５３は、設定情報記憶部５３ａ及び画像記憶部５３ｂを有する。
【００９９】
設定情報記憶部５３ａは、第１の実施形態で説明した設定情報記憶部１８ａと同様に、表示部５１の表示領域上に配置された領域を示す領域情報と、メニューの種類を示すメニュー情報とを対応付けた設定情報を記憶する。第２の実施形態では、領域情報は、表示部５１が有する表示領域上に配置された領域を示す。また、第２の実施形態では、メニュー情報は、各種の医用画像に関するメニューの種類を示す情報となる。
【０１００】
例えば、第２の実施形態では、メニュー情報として、動画表示用のメニューに関する情報と、静止画表示用のメニューに関する情報とが設定される。ここで、動画表示用のメニューは、医用画像が動画表示されている間に用いられるメニューである。また、静止画表示用のメニューは、医用画像が静止画表示されている間に用いられるメニューである。
【０１０１】
画像記憶部５３ｂは、医用画像診断装置７０又は医用画像保管装置８０から取得された各種の医用画像を記憶する。
【０１０２】
制御部５４は、表示制御部５４ａ、メニュー処理制御部５４ｂ、設定情報変更部５４ｃ、計測部５４ｅ、及び画像取得部５４ｆを有する。
【０１０３】
画像取得部５４ｆは、ネットワーク６０を介して、医用画像診断装置７０又は医用画像保管装置８０から医用画像を取得する。例えば、画像取得部５４ｆは、操作者からの要求に応じて、医用画像診断装置７０又は医用画像保管装置８０に医用画像の取得要求を送信し、その取得要求に対して応答される医用画像を受信する。そして、画像取得部５４ｆは、受信した医用画像を画像記憶部５３ｂに格納する。
【０１０４】
表示制御部５４ａは、各種の医用画像や、医用画像に関する各種メニューなどを表示部５１に表示させる。例えば、表示制御部５４ａは、各種医用画像の動画表示又は静止画表示を行う指示を操作者から受け付け、受け付けた指示に応じて、操作者によって指定された医用画像を表示部５１の表示領域上で動画表示又は静止画表示させる。
【０１０５】
また、例えば、表示制御部５４ａは、入力部５２によって位置入力操作が受け付けられた場合に、医用画像に関するメニューを表示部５１が有する表示領域上に表示させる。なお、表示制御部５４ａは、入力部５２により受け付けられた入力に応じて、異なるメニューを表示領域上に表示させる。具体的には、表示制御部５４ａは、設定情報記憶部５３ａにより記憶された設定情報に基づいて、位置入力操作により入力された位置を含む領域に対応付けられたメニューを表示部５１の表示領域上に表示させる。
【０１０６】
また、表示制御部５４ａは、医用画像が動画表示されているか静止画表示されているかに応じて、動画表示用のメニュー又は静止画表示用のメニューのいずれかを表示させる。具体的には、表示制御部５４ａは、医用画像が動画表示されていた場合には、設定情報記憶部５３ａにより記憶された設定情報において、動画表示用のメニュー情報に設定されている情報に基づいて、表示領域２０上にメニューを表示させる。例えば、表示制御部５４ａは、医用画像が動画表示されていた場合には、動画をスロー再生させることや、コマ送りで再生させることなどを受け付けるためのメニューを表示領域２０上に表示させる。
【０１０７】
一方、医用画像が静止画表示されていた場合には、表示制御部５４ａは、設定情報記憶部５３ａにより記憶された設定情報において、静止画表示用のメニュー情報に設定されている情報に基づいて、表示領域２０上にメニューを表示させる。例えば、表示制御部５４ａは、入力部２ｂにより受け付けられた入力に応じて、所定の計測項目の選択を受け付けるための計測メニューを表示領域上に表示させる。または、表示制御部５４ａは、第１の実施形態と同様に、「患者情報」や「画質パラメータ」、「画像閲覧」などのメニューを表示領域上に表示させる。
【０１０８】
なお、表示制御部５４ａによるメニュー表示の制御は、第１の実施形態で説明した表示制御部１７ａによるメニュー表示の制御と同様であるので、ここでは詳細な説明を省略する。
【０１０９】
メニュー処理制御部５４ｂは、表示制御部５４ａによる制御のもと、各種メニューに応じた処理を行うよう装置本体１０の各部を制御する。例えば、メニュー処理制御部５４ｂは、表示領域２０上に表示された計測メニュー４１又は４３に対する入力に基づいて、後述する計測部５４ｅを制御する。
【０１１０】
計測部５４ｅは、医用画像に対し所定の計測項目に関する計測を行う。この計測部５４ｅは、メニュー処理制御部５４ｂによる制御のもと、計測メニューに対する入力に基づいて、選択された計測項目に関する計測を行う。例えば、計測メニューに対する入力が行われた場合には、計測部５４ｅは、超音波画像中の任意の距離を計測する処理や、超音波画像に含まれる任意の領域の大きさを計測する処理などを行う。
【０１１１】
設定情報変更部５４ｃは、設定情報記憶部５３ａにより記憶された設定情報における領域情報とメニュー情報との対応付けを変更する。また、設定情報変更部５４ｃは、設定情報に含まれる領域位置情報を変更したり、設定情報に含まれる領域大きさ情報を変更したりする。なお、この設定情報変更部５４ｃの機能は、第１の実施形態で説明した設定情報変更部１７ｃと同様であるので、ここでは詳細な説明を省略する。
【０１１２】
上述したように、第２の実施形態に係る医用画像表示装置５０は、画像取得部５４ｆと、画像記憶部５３ｂと、表示部５１と、入力部５２と、表示制御部５４ａとを有する。画像取得部５４ｆは、医用画像を取得する。画像記憶部５３ｂは、医用画像を記憶する。表示部５１は、医用画像を表示する表示領域を有する。入力部５２は、表示部５１の表示領域に対する入力を受け付ける。そして、表示制御部５４ａは、入力部５２により受け付けられた入力に応じて、異なるメニューを表示部５１の表示領域上に表示させる。したがって、第２の実施形態によれば、操作者が必要な場合のみメニューが表示されるので、医用画像を観察する際に表示部５１の表示領域を有効に活用することができる。
【０１１３】
以上説明したとおり、第１及び第２の実施形態によれば、医用画像を観察する際に表示部の表示領域を有効に活用することができる。
【０１１４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
２  タッチパネル
２ａ  表示部
２ｂ  位置入力部
１０  装置本体
１７  制御部
１７ａ  表示制御部
１７ｂ  メニュー処理制御部
１７ｃ  設定情報変更部
１８  内部記憶部
１８ａ  設定情報記憶部
【図１】
0005846755.tif 000002
【図２】
0005846755.tif 000003
【図３】
0005846755.tif 000004
【図４】
0005846755.tif 000005
【図５】
0005846755.tif 000006
【図６】
0005846755.tif 000007
【図７】
0005846755.tif 000008
【図８】
0005846755.tif 000009
【図９】
0005846755.tif 000010
【図１０】
0005846755.tif 000011
【図１１】
0005846755.tif 000012
【図１２】
0005846755.tif 000013
【図１３】
0005846755.tif 000014
【図１４】
0005846755.tif 000015